(57)【特許請求の範囲】
【請求項１】
枠体内に多数のガラスユニットを平面状に並設すると共に、これらガラスユニット間にモルタルからなる目地部を形成し、これらガラスユニット相互を接合一体化したものであり、上記目地部の一部又は全部が蓄光材をモルタルと混ぜ合わせて形成されると共に、一部のガラスユニットとして、四角板状のガラスユニットの対角線状に目地部が形成されるようにし、該対角線状目地部を複数個組み合わることにより、目地部が矢印状に形成されるようガラスユニットを配置することを特徴とするガラスブロックパネル。
【請求項２】
床材用である請求項１記載のガラスブロックパネル。
【発明の詳細な説明】
【技術分野】
【０００１】
本発明は、特に床材として用いられ、夜間などに暗所で光を発して非常口などを指示、案内する防災用床パネルとして好適なガラスブロックパネルに関する。
【背景技術】
【０００２】
従来、夜間などの暗所で非常口を指示、案内するため、案内灯が用いられているが、これには電気設備を必要とし、地震などに際して停電が生じたときには役立たない。また、案内灯は、通常、通路自体を全体として照明し、非常口などへの道筋を明示するものではなく、案内性に劣るものである。
【０００３】
なお、本発明に関連する先行文献としては、下記のものがある。
【特許文献１】特開平１１−６２０９８号公報
【特許文献２】特開平１１−６２１０５号公報
【発明の開示】
【発明が解決しようとする課題】
【０００４】
本発明は、上記事情に鑑みなされたもので、夜間などに光を発して非常口などを指示、案内し、非常口などへの道筋を明示することができるガラスブロックパネルを提供することを目的とする。
【課題を解決するための手段】
【０００５】
本発明は、上記目的を達成するため、枠体内に多数のガラスユニットを平面状に並設すると共に、これらガラスユニット間にモルタルからなる目地部を形成し、これらガラスユニット相互を接合一体化したものであり、上記目地部の一部又は全部が蓄光材をモルタルと混ぜ合わせて形成されると共に、一部のガラスユニットとして、四角板状のガラスユニットの対角線状に目地部が形成されるようにし、該対角線状目地部を複数個組み合わることにより、目地部が矢印状に形成されるようガラスユニットを配置することを特徴とするガラスブロックパネルを提供する。この場合、このガラスブロックパネルは、床材として使用することが有効である。
【発明の効果】
【０００６】
本発明のガラスブロックパネルによれば、例えば床材として用いられ、暗所で発光して暗所においても非常口などを明確に指示、案内することができ、地震などにおいて、防災上、有効な標識機能を発揮するものである。
【０００７】
本発明のガラスブロックパネルは、目地部の一部又は全部が蓄光材をモルタルと混ぜ合わせて形成されたものであるので、夜間などに暗所で蓄光材の作用でこの蓄光材が塗り込められた目地部部分が強い光を発し、またこの目地部からの光がガラスブロック部に入射し、このガラスブロックをも照明し、ガラスブロックからも光を発することも可能である。
【０００８】
従って、ガラスブロックパネルを床材として使用し、例えば廊下などを形成すれば、廊下などが暗所でも光を発して廊下の有り場所を明確に指示し、更には廊下などから非常口などに至る道筋を指示、案内することができる。この場合、発光は、蓄光材の作用によって外部からの電力なしで生じるので、地震などの災害に際し、停電が生じても全く問題はなく、発光が維持されるものである。
【発明を実施するための最良の形態及び実施例】
【０００９】
以下、図面を参照して本発明の一実施例を説明するが、本発明は図面の実施例に制限されるものではない。
【００１０】
図中１０ａ，１０ｂは、それぞれガラスブロックパネルの実施例を示すもので、これらガラスブロックパネル１０ａ，１０ｂは、枠体１１内に多数（図面においては合計２４個）の四角板状のガラスユニット１２を縦横に並列させると共に、これらガラスユニット１２間にガラスユニット１２相互の接着剤としてモルタルからなる目地部１３を形成し、これらガラスユニット１２相互を接合一体化したものであるが、この場合、本発明においては、上記目地部１３を形成するモルタルに蓄光材を混ぜ合わせたものである。なお、本実施例では、パネル１０ａ，１０ｂの全目地部１３をモルタルに蓄光材を混ぜ合わせた発光目地部として形成しており、また一方のパネル１０ａにおいては、一部のガラスユニット１２ａとして三角柱状のものを使用し、２個の三角柱状ガラスユニット１２ａを組み合わせて四角板状のガラスユニットを形成する際、その間に上記発光目地部を介在せしめて、２個の三角柱状ガラスユニット１２ａの相互を接着することにより、四角板状のガラスユニットの対角線状に発光目地部を形成しており、かかるガラスユニットの対角線状発光目地部を組み合わせ、パネル１０ａの発光目地部が矢印状に形成されるように、ガラスユニット１２を配置したものである。この場合、このパネル１０ａと、発光目地部が格子状のみに配置されたパネル１０ｂとを図１のように配置することで、全体として例えば非常口などを指し示す矢印を形成することができる。
【００１１】
この場合、上記発光目地部は、蓄光材の作用により暗所においても発光し、またその光がガラスユニットにも侵入し、このガラスユニットも照明されることにより、目地部よりも暗いとしても発光する。従って、ガラスブロックパネルを床材として用いて配設した場合、それ自体の有り場所が明確に照らし出され、また上述した矢印状の発光目地部により、非常口などが指示、案内され、停電時などでも、この床材パネルを通行する人を非常口などに確実に誘導し得るものである。
【００１２】
なお、対角線状目地部１３ａを形成するモルタルに混ぜ合わせる蓄光材を他の目地部を形成するモルタルに混ぜ合わせる蓄光材と異なる色の発光を与えるものとし、上記対角線状目地部のみを別の色に発光させることができ、あるいは対角線状目地部を有するガラスブロックパネル１０ａにおいて、複数個の対角線状目地部１３ａによって形成する山形乃至三角形状目地の外側に存在する目地部１３ｂを形成するモルタルには蓄光材を添加せず、この部分の目地部１３ｂを発光させず、上記山形乃至三角形状目地部を矢印として強調するようにしてもよい。
【００１３】
ここで、本発明において、蓄光材としては、公知のものを使用することができ、例えばカドミウム、カルシウム、アルミニウム、イットリウムなどの金属の酸化物、硫化物、ケイ酸塩、タングステン酸塩などを主成分とし、これに微量のマンガン、銀、銅、鉛、ユーロピウムなどの活性化剤を添加したもの、具体的にはＣａＳ（Ｂｉ、紫）、ＺｎＳ（Ｃｕ，Ａｌ、緑）、ＺｎＳ（Ｍｎ、橙）、ＺｎＳ（Ｃｕ、黄緑）、Ｙ2Ｏ3（Ｅｕ、赤）、ＣａＷＯ4（青緑）、ＭｇＷＯ4（青）、Ｚｎ2ＳｉＯ4（Ｍｎ、緑）などが挙げられるが、これに制限されるものではない。
【００１４】
この場合、蓄光材としては、外部から受けた光を吸収して残光を発するもの（蓄光塗料）でも、このような蓄光塗料に放射線物質を添加し、その刺激で常時発光するもの（自発光塗料）でもよい。なお、蓄光材としては、市販品を使用することができる。
また、上記目地部には、モルタル、蓄光材に加えて、ガラス粉末を配合してもよい。
【図面の簡単な説明】
【００１５】
【図１】本発明の一実施例を示す平面図である。
【図２】図１のＡ−Ａ線からみた側面図である。
【図３】図１のＢ−Ｂ線からみた側面図である。
【符号の説明】
【００１６】
１０ａ，１０ｂ  ガラスブロックパネル
１１            枠体
１２            ガラスユニット
１２ａ          ガラスユニット
１３            目地部
１３ａ          対角線状目地部
１３ｂ          目地部
【図１】
0004654595.tif 000002
【図２】
0004654595.tif 000003
【図３】
0004654595.tif 000004